(57)【要約】【課題】データ処理装置から画像表示装置へ通信手段を介して送信されるデータ量を減らすとともに、画像表示装置によって表示される画像の質の悪化を最小限に抑えることができる画像表示システムを提供すること。【解決手段】データ処理装置において、画像データに含まれる各種類のコンテンツデータが表示されるコンテンツ領域ａ１〜ａ９を検出し、当該各コンテンツ領域ａ１〜ａ９ごとに、表示されるコンテンツデータの種類に応じたエンコードを行う。エンコードされた各コンテンツデータは画像表示装置に送信され、デコードされた上で画像表示に利用される。【選択図】図７
2007206644.tif 000002
【特許請求の範囲】
【請求項１】
画像データを処理するデータ処理装置と、前記データ処理装置によって処理された画像データに基づいて画像を表示する画像表示装置と、前記データ処理装置および前記画像表示装置間においてデータを通信する通信手段とを備える画像表示システムであって、
前記データ処理装置は、
画像データに対して所定の画像処理を行う画像処理手段と、
画像データに含まれる各種類のコンテンツデータが表示されるコンテンツ領域を検出するコンテンツ領域検出手段と、
前記コンテンツ領域検出手段によって検出された前記各コンテンツ領域ごとに、当該コンテンツ領域に表示されるコンテンツデータの種類に応じたエンコード方式を選択するエンコード方式選択手段と、
前記エンコード方式選択手段によって前記各コンテンツ領域ごとに選択された前記エンコード方式に基づいて、当該コンテンツ領域に表示されるコンテンツデータをエンコードするエンコード手段と、
前記画像処理手段による画像処理、および、前記エンコード手段によるエンコードが行われた前記各種類のコンテンツデータを、前記通信手段を介して、前記画像表示装置に送信する送信手段とを備え、
前記画像表示装置は、
前記送信手段によって前記通信手段を介して送信された前記各種類のコンテンツデータを受信する受信手段と、
前記受信手段によって受信された前記各種類のコンテンツデータについて前記エンコード方式選択手段によって選択されたエンコード方式に合わせて、当該コンテンツデータをデコードするデコード手段と、
前記デコード手段によってデコードされた前記各種類のコンテンツデータに基づいて画像を表示する画像表示手段とを備える
ことを特徴とする画像表示システム。
【請求項２】
請求項１に記載の画像表示システムにおいて、
前記データ処理装置は、画像データに含まれる各種類のコンテンツデータに送信順位を設定する送信順位設定手段を備え、
前記送信手段は、前記送信順位設定手段によって設定された前記送信順位に基づいて前記各種類のコンテンツデータを送信する
ことを特徴とする画像表示システム。
【請求項３】
請求項１または請求項２に記載の画像表示システムにおいて、
前記コンテンツ領域検出手段は、
画像データを構成する各画素データの時間変化を検出する時間変化検出手段と、
前記時間変化検出手段によって検出された前記各画素データの時間変化に基づいて、画像データに含まれる動画像コンテンツデータが表示される動画像コンテンツ領域を検出する動画像コンテンツ領域検出手段とを備える
ことを特徴とする画像表示システム。
【請求項４】
請求項１から請求項３のいずれかに記載の画像表示システムにおいて、
前記コンテンツ領域検出手段は、
画像データにおける近接画素データ間での変化が大きな部分を前記各コンテンツ領域の境界として検出する境界検出手段を備える
ことを特徴とする画像表示システム。
【請求項５】
画像データを処理するデータ処理装置と、前記データ処理装置によって処理された画像データに基づいて画像を表示する画像表示装置と、前記データ処理装置および前記画像表示装置間においてデータを通信する通信手段とを備える画像表示システムに実行させる画像表示方法であって、
前記データ処理装置に、
画像データに対して所定の画像処理を行う画像処理ステップと、
画像データに含まれる各種類のコンテンツデータが表示されるコンテンツ領域を検出するコンテンツ領域検出ステップと、
前記コンテンツ領域検出ステップにおいて検出された前記各コンテンツ領域ごとに、当該コンテンツ領域に表示されるコンテンツデータの種類に応じたエンコード方式を選択するエンコード方式選択ステップと、
前記エンコード方式選択ステップにおいて前記各コンテンツ領域ごとに選択された前記エンコード方式に基づいて、当該コンテンツ領域に表示されるコンテンツデータをエンコードするエンコードステップと、
前記画像処理ステップにおける画像処理、および、前記エンコードステップにおけるエンコードが行われた前記各種類のコンテンツデータを、前記通信手段を介して、前記画像表示装置に送信する送信ステップとを実行させ、
前記画像表示装置に、
前記送信ステップにおいて前記通信手段を介して送信された前記各種類のコンテンツデータを受信する受信ステップと、
前記受信ステップにおいて受信された前記各種類のコンテンツデータについて前記エンコード方式選択ステップにおいて選択されたエンコード方式に合わせて、当該コンテンツデータをデコードするデコードステップと、
前記デコードステップにおいてデコードされた前記各種類のコンテンツデータに基づいて画像を表示する画像表示ステップとを実行させる
ことを特徴とする画像表示方法。
【請求項６】
画像データを処理するデータ処理装置と、前記データ処理装置によって処理された画像データに基づいて画像を表示する画像表示装置と、前記データ処理装置および前記画像表示装置間においてデータを通信する通信手段とを備える画像表示システムに実行させる画像表示プログラムであって、
前記データ処理装置に組み込まれたコンピュータに、
画像データに対して所定の画像処理を行う画像処理ステップと、
画像データに含まれる各種類のコンテンツデータが表示されるコンテンツ領域を検出するコンテンツ領域検出ステップと、
前記コンテンツ領域検出ステップにおいて検出された前記各コンテンツ領域ごとに、当該コンテンツ領域に表示されるコンテンツデータの種類に応じたエンコード方式を選択するエンコード方式選択ステップと、
前記エンコード方式選択ステップにおいて前記各コンテンツ領域ごとに選択された前記エンコード方式に基づいて、当該コンテンツ領域に表示されるコンテンツデータをエンコードするエンコードステップと、
前記画像処理ステップにおける画像処理、および、前記エンコードステップにおけるエンコードが行われた前記各種類のコンテンツデータを、前記通信手段を介して、前記画像表示装置に送信する送信ステップとを実行させる
ことを特徴とする画像表示プログラム。
【請求項７】
請求項６に記載の画像表示プログラムが記録され、コンピュータによって読み取り可能である
ことを特徴とする記録媒体。
【請求項８】
画像データを処理するデータ処理装置と、前記データ処理装置によって処理された画像データに基づいて画像を表示する画像表示装置と、前記データ処理装置および前記画像表示装置間においてデータを通信する通信手段とを備える画像表示システムに実行させる画像表示プログラムであって、
前記画像表示装置に組み込まれたコンピュータに、
前記データ処理装置から前記通信手段を介して送信された各種類のコンテンツデータを受信する受信ステップと、
前記受信ステップにおいて受信された前記各種類のコンテンツデータについて前記データ処理装置によって選択されたエンコード方式に合わせて、当該コンテンツデータをデコードするデコードステップと、
前記デコードステップにおいてデコードされた前記各種類のコンテンツデータに基づいて画像を表示する画像表示ステップとを実行させる
ことを特徴とする画像表示プログラム。
【請求項９】
請求項８に記載の画像表示プログラムが記録され、コンピュータによって読み取り可能である
ことを特徴とする記録媒体。
【請求項１０】
処理した画像データを画像表示装置に対して通信手段を介して送信するデータ処理装置であって、
画像データに対して所定の画像処理を行う画像処理手段と、
画像データに含まれる各種類のコンテンツデータが表示されるコンテンツ領域を検出するコンテンツ領域検出手段と、
前記コンテンツ領域検出手段によって検出された前記各コンテンツ領域ごとに、当該コンテンツ領域に表示されるコンテンツデータの種類に応じたエンコード方式を選択するエンコード方式選択手段と、
前記エンコード方式選択手段によって前記各コンテンツ領域ごとに選択された前記エンコード方式に基づいて、当該コンテンツ領域に表示されるコンテンツデータをエンコードするエンコード手段と、
前記画像処理手段により画像処理、および、前記エンコード手段によるエンコードが行われた前記各種類のコンテンツデータを、前記通信手段を介して、前記画像表示装置に送信する送信手段とを備えていることを特徴とするデータ処理装置。
【請求項１１】
データ処理装置によって処理された画像データが通信手段を介して入力され、前記処理された画像データに基づいて画像を表示する画像表示装置であって、
前記データ処理装置から前記通信手段を介して送信された各種類のコンテンツデータを受信する受信手段と、
前記受信手段によって受信された前記各種類のコンテンツデータについて、前記データ処理装置でエンコードされたエンコード方式に合わせて、当該コンテンツデータをデコードするデコード手段と、
前記デコード手段によってデコードされた前記各種類のコンテンツデータに基づいて画像を表示する画像表示手段とを備えていることを特徴とする画像表示装置。
【発明の詳細な説明】
【技術分野】
【０００１】
本発明は、画像表示システム，画像表示方法，画像表示プログラム，記録媒体，データ処理装置，及び画像表示装置に関する。
【背景技術】
【０００２】
従来、画像データを処理するパーソナルコンピュータ（データ処理装置）と、パーソナルコンピュータによって処理された画像データに基づいて画像を表示する液晶プロジェクタ（画像表示装置）と、パーソナルコンピュータおよび液晶プロジェクタ間においてデータを通信するＵＳＢ（Universal Serial Bus）ケーブル（通信手段）とを備える画像表示システムが知られている（例えば、特許文献１参照）。
【０００３】
特許文献１の画像表示システムでは、液晶プロジェクタに画像を表示させるための画像データがパーソナルコンピュータに入力され、当該パーソナルコンピュータにおいて所定の画像処理が行われた後、ＵＳＢケーブルを介して液晶プロジェクタに送信される。液晶プロジェクタは、ＵＳＢケーブルを介して受信した画像処理後の画像データに基づいて画像をスクリーンに表示する。
【０００４】
特許文献１の画像表示システムでは、ＵＳＢケーブルの通信速度には上限（たとえばUSB2.0の規格では480Mbps）があり、パーソナルコンピュータによる画像処理後の画像データを、そのままＵＳＢケーブルを介して送信したのでは、液晶プロジェクタにおける通常のフレームレート（60fps）を実現することができない点に鑑み、必要に応じて、液晶プロジェクタの解像度を下げたり、画像データの圧縮を行ったりしている。
【０００５】
【特許文献１】特開２００４−６９９９６号公報（第１５，１６頁）
【発明の開示】
【発明が解決しようとする課題】
【０００６】
しかしながら、解像度を下げる，画像データの圧縮を行うという方法は、ＵＳＢケーブルを介して送信される画像データの量を減らしてフレームレートを高くすることができるものの、画質の悪化を招いてしまうという問題がある。特に、液晶プロジェクタに表示させたい画像が、精緻な画像である場合には、画質の悪化は致命的な問題である。
【０００７】
本発明の目的は、データ処理装置から画像表示装置へ通信手段を介して送信されるデータ量を減らすとともに、画像表示装置によって表示される画像の質の悪化を最小限に抑えることができる画像表示システム，画像表示方法，画像表示プログラム，記録媒体,データ処理装置，画像表示装置を提供することである。
【課題を解決するための手段】
【０００８】
本発明の画像表示システムは、画像データを処理するデータ処理装置と、前記データ処理装置によって処理された画像データに基づいて画像を表示する画像表示装置と、前記データ処理装置および前記画像表示装置間においてデータを通信する通信手段とを備える画像表示システムであって、前記データ処理装置は、画像データに対して所定の画像処理を行う画像処理手段と、画像データに含まれる各種類のコンテンツデータが表示されるコンテンツ領域を検出するコンテンツ領域検出手段と、前記コンテンツ領域検出手段によって検出された前記各コンテンツ領域ごとに、当該コンテンツ領域に表示されるコンテンツデータの種類に応じたエンコード方式を選択するエンコード方式選択手段と、前記エンコード方式選択手段によって前記各コンテンツ領域ごとに選択された前記エンコード方式に基づいて、当該コンテンツ領域に表示されるコンテンツデータをエンコードするエンコード手段と、前記画像処理手段による画像処理、および、前記エンコード手段によるエンコードが行われた前記各種類のコンテンツデータを、前記通信手段を介して、前記画像表示装置に送信する送信手段とを備え、前記画像表示装置は、前記送信手段によって前記通信手段を介して送信された前記各種類のコンテンツデータを受信する受信手段と、前記受信手段によって受信された前記各種類のコンテンツデータについて前記エンコード方式選択手段によって選択されたエンコード方式に合わせて、当該コンテンツデータをデコードするデコード手段と、前記デコード手段によってデコードされた前記各種類のコンテンツデータに基づいて画像を表示する画像表示手段とを備えることを特徴とする。
【０００９】
このような画像表示システムでは、データ処理装置において、画像データに含まれるコンテンツデータの各種類ごとに、当該コンテンツデータが表示されるコンテンツ領域が検出される。
ここで、コンテンツデータは、動画像コンテンツデータと、静止画像コンテンツデータとに大別されるが、更に細かい分類も可能である。例えば、静止画像コンテンツデータは、写真などの精緻なデータ（以下、写真データ、と総称する），プレゼンテーション用の文字・図形・表などのデータ（以下、文字データ、と総称する），データ処理装置としてのパーソナルコンピュータのディスプレイ上で開かれたウインドウの枠部分や、パーソナルコンピュータのデスクトップ画像などのデータ（以下、背景データ、と総称する）などに分類することができる。また、データ処理装置としてのパーソナルコンピュータのディスプレイ上で開かれた各種ウインドウや、デスクトップ上やウインドウ内に配置された各種アイコンなどのうち、マウスなどの指定手段によって指定あるいはドラッグされているものを、特に、『アクティブ』な静止画像コンテンツデータ（以下、アクティブデータ、と総称する）として分類することもできる。なお、以上に示したコンテンツデータの分類は、あくまで一例に過ぎず、本発明の技術的範囲が以上の分類例によって限定されるものではない。すなわち、公知の他の分類方法を採用した場合であっても、本発明を利用することができる。
データ処理装置は、画像データに複数種類のコンテンツデータが含まれている場合には、各コンテンツデータが表示される各コンテンツ領域を検出する。ここでの領域検出方法の詳細については後述するが、本発明では、後述するもの以外の公知の領域検出方法を採用することもできる。
コンテンツ領域の検出はデータ処理装置に画像データを入力する回数に対して、任意の間隔で行って良い。例えば、データ処理装置に画像データが入力される度に実行する、一定の時間間隔をおいて実行するなどが挙げられる。本発明では公知の他の時間間隔を用いることもできる。
【００１０】
続いて、データ処理装置では、検出された各コンテンツ領域ごとに、コンテンツデータのエンコード方式が選択される。
ここで、エンコード方式の選択は、コンテンツデータの種類に応じて自動的に行われるようになっている。例えば、高フレームレートの実現が最優先されるとともに高画質も要求される動画像コンテンツデータでは、画質の悪化を招かずにデータを圧縮して通信速度を大きくすることができるエンコード方式（例えば、ランレングス方式）が選択され、高フレームレートは要求されないが高画質が要求される写真データ（静止画像コンテンツデータ）では、表示に多少の時間（例えば、数フレーム分）がかかっても精緻な表示を行うことができるエンコード方式（例えば、基本となる画像に順次上書きしながら精緻な表示を行うプログレッシブＪＰＥＧ方式）が選択され、高画質が要求されない文字データや背景データなど（静止画像コンテンツデータ）では、画質の悪化を招く一方でデータを大幅に圧縮することができるエンコード方式（例えば、ＪＰＥＧ方式）が選択される。また、ユーザがアクティブな状態にしているアクティブデータ（ウインドウやアイコンなど）は、静止画像コンテンツデータではあるものの、ユーザが注目している可能性が高く、ドラッグによって移動されたり、アクティブデータがウインドウである場合には、サイズが変更されたり、新規ウインドウが生成されたりと、動きを伴うので、動画像コンテンツデータと同様に、高フレームレートの実現が最優先されるエンコード方式を選択することが好ましい。なお、以上に示したエンコード方式の選択は、あくまで一例に過ぎず、本発明の技術的範囲が以上の選択例によって限定されるものではない。すなわち、本発明では、エンコード方式の選択が、表示するコンテンツデータの種類に応じて自動的に行われるようになっていればよく、コンテンツデータの種類と、当該種類に応じて選択されるエンコード方式との対応関係は、目的に合わせて自由に設定することができる。また、選択可能なエンコード方式も、以上に例示したものに限られない。例えば、データを全く圧縮しない「非圧縮方式」なども選択可能なエンコード方式として採用することができる。
【００１１】
続いて、データ処理装置では、選択された各エンコード方式に基づいて各コンテンツデータがエンコードされ、通信手段を介して画像表示装置に送信される。
画像表示装置では、通信手段を介して受信された各コンテンツデータが、当該各コンテンツデータについてデータ処理装置において選択されたエンコード方式に合わせて、デコードされる。そして、画像表示装置は、デコードされた各コンテンツデータに基づいて画像の表示を行う。
【００１２】
以上のような画像表示システムによれば、高画質が要求されないコンテンツデータ（例えば、文字データ，背景データ）については、データを大幅に圧縮することができるエンコード方式を選択することによって、データ処理装置から画像表示装置へ通信手段を介して送信されるデータ量を減らすことができ、高画質が要求されるコンテンツデータ（例えば、動画像コンテンツコンテンツデータ，写真データ）については、画質の悪化を招かないエンコード方式を選択することによって、画像表示装置によって表示される画像の質の悪化を最小限に抑えることができる。
【００１３】
本発明の画像表示システムでは、前記データ処理装置は、画像データに含まれる各種類のコンテンツデータに送信順位を設定する送信順位設定手段を備え、前記送信手段は、前記送信順位設定手段によって設定された前記送信順位に基づいて前記各種類のコンテンツデータを送信することが好ましい。
【００１４】
このような画像表示システムによれば、通信手段の通信速度が小さく、フレーム更新間隔の間に１フレームに含まれる全ての種類のコンテンツデータを送信することができない場合であっても、送信順位の高いコンテンツデータを優先的に送信することによって、少なくとも、送信順位の高いコンテンツデータについては、適切な表示を行うことができる。ここで、送信順位は、目的に合わせて自由に設定することができるが、高フレームレートの実現が最優先されるコンテンツデータ（例えば、動画像コンテンツデータ，アクティブデータ）の送信順位を高く設定することによって、当該コンテンツデータのフレームレートの維持を図ることが好ましい。
【００１５】
本発明の画像表示システムでは、前記コンテンツ領域検出手段は、画像データを構成する各画素データの時間変化を検出する時間変化検出手段と、前記時間変化検出手段によって検出された前記各画素データの時間変化に基づいて、画像データに含まれる動画像コンテンツデータが表示される動画像コンテンツ領域を検出する動画像コンテンツ領域検出手段とを備えることが好ましい。
【００１６】
このような画像表示システムによれば、画像データを構成する各画素データの時間変化を検出することによって、画素データの時間変化が大きい領域を動画像コンテンツ領域として効率的に検出することができる。
【００１７】
本発明の画像表示システムでは、前記コンテンツ領域検出手段は、画像データにおける近接画素データ間での変化が大きな部分を前記各コンテンツ領域の境界として検出する境界検出手段を備えることが好ましい。
【００１８】
互いに異なるコンテンツ領域には、互いに種類の異なるコンテンツデータが表示されるところ、各コンテンツ領域の境界では、画素データが大きく変化する可能性が高い。このような画像表示システムによれば、画像データにおいて互いに近接する画素データ同士を比較することによって、画素データの変化が大きな部分を各コンテンツ領域の境界として効率的に検出することができる。
【００１９】
本発明の画像表示方法は、画像データを処理するデータ処理装置と、前記データ処理装置によって処理された画像データに基づいて画像を表示する画像表示装置と、前記データ処理装置および前記画像表示装置間においてデータを通信する通信手段とを備える画像表示システムに実行させる画像表示方法であって、前記データ処理装置に、画像データに対して所定の画像処理を行う画像処理ステップと、画像データに含まれる各種類のコンテンツデータが表示されるコンテンツ領域を検出するコンテンツ領域検出ステップと、前記コンテンツ領域検出ステップにおいて検出された前記各コンテンツ領域ごとに、当該コンテンツ領域に表示されるコンテンツデータの種類に応じたエンコード方式を選択するエンコード方式選択ステップと、前記エンコード方式選択ステップにおいて前記各コンテンツ領域ごとに選択された前記エンコード方式に基づいて、当該コンテンツ領域に表示されるコンテンツデータをエンコードするエンコードステップと、前記画像処理ステップにおける画像処理、および、前記エンコードステップにおけるエンコードが行われた前記各種類のコンテンツデータを、前記通信手段を介して、前記画像表示装置に送信する送信ステップとを実行させ、前記画像表示装置に、前記送信ステップにおいて前記通信手段を介して送信された前記各種類のコンテンツデータを受信する受信ステップと、前記受信ステップにおいて受信された前記各種類のコンテンツデータについて前記エンコード方式選択ステップにおいて選択されたエンコード方式に合わせて、当該コンテンツデータをデコードするデコードステップと、前記デコードステップにおいてデコードされた前記各種類のコンテンツデータに基づいて画像を表示する画像表示ステップとを実行させることを特徴とする。
【００２０】
このような画像表示方法は、前述した本発明の画像表示システムによって実行されるので、当該画像表示システムと同じ各作用・効果を奏することができる。
【００２１】
本発明の画像表示プログラムは、画像データを処理するデータ処理装置と、前記データ処理装置によって処理された画像データに基づいて画像を表示する画像表示装置と、前記データ処理装置および前記画像表示装置間においてデータを通信する通信手段とを備える画像表示システムに実行させる画像表示プログラムであって、前記データ処理装置に組み込まれたコンピュータに、画像データに対して所定の画像処理を行う画像処理ステップと、画像データに含まれる各種類のコンテンツデータが表示されるコンテンツ領域を検出するコンテンツ領域検出ステップと、前記コンテンツ領域検出ステップにおいて検出された前記各コンテンツ領域ごとに、当該コンテンツ領域に表示されるコンテンツデータの種類に応じたエンコード方式を選択するエンコード方式選択ステップと、前記エンコード方式選択ステップにおいて前記各コンテンツ領域ごとに選択された前記エンコード方式に基づいて、当該コンテンツ領域に表示されるコンテンツデータをエンコードするエンコードステップと、前記画像処理ステップにおける画像処理、および、前記エンコードステップにおけるエンコードが行われた前記各種類のコンテンツデータを、前記通信手段を介して、前記画像表示装置に送信する送信ステップとを実行させることを特徴とする。
【００２２】
本発明の画像表示プログラムは、画像データを処理するデータ処理装置と、前記データ処理装置によって処理された画像データに基づいて画像を表示する画像表示装置と、前記データ処理装置および前記画像表示装置間においてデータを通信する通信手段とを備える画像表示システムに実行させる画像表示プログラムであって、前記画像表示装置に組み込まれたコンピュータに、前記データ処理装置から前記通信手段を介して送信された各種類のコンテンツデータを受信する受信ステップと、前記受信ステップにおいて受信された前記各種類のコンテンツデータについて前記データ処理装置によって選択されたエンコード方式に合わせて、当該コンテンツデータをデコードするデコードステップと、前記デコードステップにおいてデコードされた前記各種類のコンテンツデータに基づいて画像を表示する画像表示ステップとを実行させることを特徴とする。
【００２３】
本発明の記録媒体は、前記各画像表示プログラムが記録され、コンピュータによって読み取り可能であることを特徴とする。
【００２４】
以上のような画像表示プログラムおよび記録媒体は、前述した本発明の画像表示方法を実行するために利用されるので、当該画像表示方法と同じ各作用・効果を奏することができる。
【００２５】
また、本発明は、前記画像表示システムを構成するサブコンビネーション発明としてのデータ処理装置、及び画像表示装置としても成立するものであり、このようなデータ処理装置及び画像表示装置が協働することにより、前述した作用及び効果を享受することができる。
【発明を実施するための最良の形態】
【００２６】
続いて、本発明の実施形態を図面に基づいて説明する。
■１．画像表示システムの構成
図１は、画像表示システムの構成を示す機能的ブロック図である。
画像表示システム１は、画像データを処理するデータ処理装置であるパーソナルコンピュータ２と、パーソナルコンピュータ２によって処理された画像データに基づいて画像を表示する画像表示装置である液晶プロジェクタ３と、パーソナルコンピュータ２および液晶プロジェクタ３間においてデータを通信する通信手段であるＵＳＢケーブル４とを備えて構成されている。
【００２７】
パーソナルコンピュータ２は、機能的には、画像データ入力手段２１と、制御手段２２と、送信手段２３とを備えて構成されている。
【００２８】
画像データ入力手段２１は、最終的に液晶プロジェクタ３に表示させる画像データを制御手段２２に入力する手段である。本実施形態では、パーソナルコンピュータ２のディスプレイ５に表示されている画像と同じ画像を液晶プロジェクタ３に表示させるために、画像データ入力手段２１は、ディスプレイ５に表示されている画像をキャプチャして取得される画像データを制御手段２２に入力する。
【００２９】
制御手段２２は、画像データ入力手段２１によって入力された画像データの処理に関する全般的な制御を行う手段であり、機能的には、画像処理手段２２１と、コンテンツ領域検出手段２２２と、エンコード方式選択手段２２３と、エンコード手段２２４と、送信順位設定手段２２５とを備えて構成されている。
【００３０】
画像処理手段２２１は、画像データ入力手段２１によって入力された画像データに対して所定の画像処理を行う手段であり、機能的には、図２に示されるように、形状変換手段２２１１と、色調変換手段２２１２とを備えて構成されている。
【００３１】
形状変換手段２２１１は、使用される液晶プロジェクタ３に合わせて画像データの形状を変換する手段である。具体的には、形状変換手段２２１１は、液晶プロジェクタ３の表示性能に合わせて画像データの解像度を変換（リサイズ）したり、液晶プロジェクタ３の設置状態に合わせて画像データに台形補正を行ったりする（詳細については特許文献１参照）。
【００３２】
色調変換手段２２１２は、使用される液晶プロジェクタ３に合わせて画像データの色調を変換する手段である。具体的には、色調変換手段２２１２は、液晶プロジェクタ３の表示特性に合わせて画像データにガンマ補正や色むら補正などを行う（詳細については特許文献１参照）。
【００３３】
コンテンツ領域検出手段２２２は、画像データ入力手段２１によって入力された画像データに含まれる各種類のコンテンツデータが表示されるコンテンツ領域を検出する手段であり、機能的には、図３に示されるように、コンテンツ領域検出補助手段２２２１と、動画像コンテンツ領域検出手段２２２２と、静止画像コンテンツ領域検出手段２２２３とを備えて構成されている。
【００３４】
コンテンツ領域検出補助手段２２２１は、コンテンツデータの種類およびコンテンツ領域を検出する上で有用な各種情報を取得する手段であり、機能的には、ウインドウ領域検出手段２２２１１と、時間変化検出手段２２２１２と、境界検出手段２２２１３と、アプリケーション検出手段２２２１４と、ウインドウ内イベント検出手段２２２１５と、ブロックノイズ検出手段２２２１６と、ユーザ操作検出手段２２２１７とを備えて構成されている。
【００３５】
ウインドウ領域検出手段２２２１１は、画像データ入力手段２１によって入力された画像データにアプリケーションなどのウインドウのデータが含まれている場合に、当該ウインドウの領域（ウインドウ領域）を検出する手段である。ウインドウ領域検出手段２２２１１によれば、ウインドウ領域を検出できることはもちろん、ウインドウ領域として検出されなかった領域を、デスクトップなどの背景領域として検出することができる。
【００３６】
時間変化検出手段２２２１２は、画像データ入力手段２１によって入力された画像データを構成する各画素データの時間変化を検出する手段である。時間変化検出手段２２２１２によれば、画素データに時間変化のあった領域を動画像コンテンツ領域として検出することができ、画素データに時間変化のなかった領域を静止画像コンテンツ領域として検出することができる。
【００３７】
境界検出手段２２２１３は、画像データ入力手段２１によって入力された画像データにおける近接画素データ間での変化が大きな部分を各コンテンツ領域の境界として検出する手段である。各コンテンツ領域の境界を検出することにより、各コンテンツ領域を正確に検出することができる。
【００３８】
アプリケーション検出手段２２２１４は、画像データ入力手段２１によって入力された画像データにアプリケーションのウインドウのデータが含まれている場合に、当該ウインドウを構成しているアプリケーションの種類を検出する手段である。アプリケーションの種類を検出することにより、ウインドウ内に表示されているコンテンツデータの種類を判別することができる。
【００３９】
ウインドウ内イベント検出手段２２２１５は、画像データ入力手段２１によって入力された画像データにアプリケーションなどのウインドウのデータが含まれている場合に、当該ウインドウ内で生じるイベントを検出する手段である。ウインドウ内イベントを検出することにより、ウインドウ内に表示されているコンテンツデータの種類を判別することができる。
【００４０】
ブロックノイズ検出手段２２２１６は、画像データ入力手段２１によって入力された画像データにＪＰＥＧやＭＰＥＧなどのエンコード方式によってエンコード済みのコンテンツデータが含まれている場合に、当該エンコード方式に起因するブロックノイズを検出する手段である。ブロックノイズを検出することにより、ＪＰＥＧによる静止画像コンテンツ領域やＭＰＥＧによる動画像コンテンツ領域などを正確に検出することができる。
【００４１】
ユーザ操作検出手段２２２１７は、ユーザによって行われる操作を検出する手段である。ユーザの操作を検出することにより、ユーザがアクティブな状態にしているウインドウやアイコンなどのアクティブデータを検出することができる。
【００４２】
動画像コンテンツ領域検出手段２２２２は、コンテンツ領域検出補助手段２２２１によって取得される各種情報に基づいて、画像データ入力手段２１によって入力された画像データに含まれる動画像コンテンツデータが表示される動画像コンテンツ領域を検出する手段である。
【００４３】
静止画像コンテンツ領域検出手段２２２３は、コンテンツ領域検出補助手段２２２１によって取得される各種情報に基づいて、画像データ入力手段２１によって入力された画像データに含まれる静止画像コンテンツデータが表示される静止画像コンテンツ領域を検出する手段であり、機能的には、写真領域検出手段２２２３１と、文字領域検出手段２２２３２と、背景領域検出手段２２２３３と、アクティブ領域検出手段２２２３４とを備えて構成されている。
【００４４】
写真領域検出手段２２２３１は、静止画像コンテンツデータのうち写真などの精緻なデータ（写真データと総称）が表示される写真領域を検出する手段である。
文字領域検出手段２２２３２は、静止画像コンテンツデータのうちプレゼンテーション用の文字・図形・表などのデータ（文字データと総称）が表示される文字領域を検出する手段である。なお、写真データおよび文字データは、いずれも、静止画像コンテンツデータであるが、データの密度（写真データ：高，文字データ：低）などに応じて互いに区別することができる。
背景領域検出手段２２２３３は、静止画像コンテンツデータのうちウインドウの枠部分やデスクトップ画像などのデータ（背景データと総称）が表示される背景領域を検出する手段である。
アクティブ領域検出手段２２２３４は、ユーザのマウス操作などによって指定あるいはドラッグされているウインドウやアイコンなどのアクティブなデータ（アクティブデータと総称）が表示されるアクティブ領域を検出する手段である。
【００４５】
エンコード方式選択手段２２３は、コンテンツ領域検出手段２２２によって検出された各コンテンツ領域ごとに、当該コンテンツ領域に表示されるコンテンツデータの種類に応じたエンコード方式を選択する手段である。
【００４６】
エンコード手段２２４は、エンコード方式選択手段２２３によって各コンテンツ領域ごとに選択されたエンコード方式に基づいて、当該コンテンツ領域に表示されるコンテンツデータをエンコードする手段である。
【００４７】
送信順位設定手段２２５は、画像データ入力手段２１によって入力される画像データに含まれる各種類のコンテンツデータに送信順位を設定する手段である。
【００４８】
送信手段２３は、制御手段２２における各種処理が行われた各種類のコンテンツデータを、送信順位設定手段２２５によって設定された送信順位に基づいて、ＵＳＢケーブル４を介して液晶プロジェクタ３に送信する手段である。具体的には、ＵＳＢケーブル４と接続されたＵＳＢコントローラによって送信手段２３は構成されている。
【００４９】
液晶プロジェクタ３は、機能的には、受信手段３１と、制御手段３２と、画像表示手段３３とを備えて構成されている。
【００５０】
受信手段３１は、送信手段２３によってＵＳＢケーブル４を介して送信された各種類のコンテンツデータを受信する手段である。具体的には、ＵＳＢケーブル４と接続されたＵＳＢコントローラによって受信手段３１は構成されている。
【００５１】
制御手段３２は、受信手段３１によって受信された各種類のコンテンツデータの表示に関する全般的な制御を行う手段であり、機能的には、デコード手段３２１を備えて構成されている。
【００５２】
デコード手段３２１は、受信手段３１によって受信された各種類のコンテンツデータについてエンコード方式選択手段２２３によって選択されたエンコード方式に合わせて、当該コンテンツデータをデコードする手段である。
【００５３】
画像表示手段３３は、デコード手段３２１によってデコードされた各種類のコンテンツデータに基づいて画像を表示する手段であり、光を出射する光源，当該光源からの光を画像データ（デコードされた各種類のコンテンツデータ）に基づいて変調して画像を形成する液晶パネル，当該液晶パネルによって形成された画像を投射する投射レンズなどによって構成されている。
【００５４】
■２．画像表示方法
続いて、以上のような構成を備える画像表示システム１によって行われる画像の表示方法について説明する。
図４は、画像の表示の流れを示すフローチャートである。
【００５５】
Ｓ１では、パーソナルコンピュータ２における画像データ入力手段２１が、パーソナルコンピュータ２のディスプレイ５に表示されている画像に対応する画像データを制御手段２２に入力する。図５は、Ｓ１において入力される画像データの例（ディスプレイ５の表示例）を示す図である。この図では、各種アイコンＩが配置されたデスクトップに重なるように２つのウインドウＷ１，Ｗ２が開かれている。ウインドウＷ１は、動画像表示アプリケーションのウインドウであり、当該ウインドウＷ１中の動画像表示領域Ａ１に動画像が表示されている。また、ウインドウＷ２は、静止画像表示アプリケーションのウインドウであり、当該ウインドウＷ２中の静止画像表示領域Ａ２に静止画像としての精緻な写真が表示されている。
【００５６】
Ｓ２では、画像処理手段２２１が、Ｓ１において入力された画像データ（図５）に対して所定の画像処理を行う。具体的には、形状変換手段２２１１によって、使用される液晶プロジェクタ３に合わせて画像データの形状を変換し（Ｓ２１）、色調変換手段２２１２によって、使用される液晶プロジェクタ３に合わせて画像データの色調を変換する（Ｓ２２）。
【００５７】
Ｓ３では、Ｓ２と並行して、コンテンツ領域検出手段２２２が、Ｓ１において入力された画像データに含まれる各種類のコンテンツデータが表示されるコンテンツ領域を検出する。本実施形態では、コンテンツデータを、動画像コンテンツデータ，写真データ，文字データ，背景データ，アクティブデータの５種類に分類しており、Ｓ３では、当該各種類ごとにコンテンツ領域（動画像コンテンツ領域，写真領域，文字領域，背景領域，アクティブ領域）を検出する。この際、コンテンツ領域検出補助手段２２２１によって取得される各種の情報に基づいて、コンテンツデータの種類およびコンテンツ領域の検出を行う。Ｓ３はＳ２の実行回数に対して少なく実行されても構わない。本実施形態では、一定の時間間隔が経過する度にＳ３を実行すると共に、ウィンドウの移動、生成などのイベントが発生した場合にはその都度Ｓ３を実行する。このようにコンテンツ領域検出手段を実行することによって、コンテンツ領域の検出に費やす平均処理時間を最小限にすることができる。
【００５８】
ウインドウ領域検出手段２２２１１によれば、ウインドウ領域を検出することによって、ウインドウ領域として検出されなかった領域を、背景データが表示される背景領域として検出することができる。図５の例では、ウインドウＷ１，Ｗ２の領域がウインドウ領域として検出されるので、ウインドウ領域として検出されなかったデスクトップの領域を背景領域として検出することができる。また、ウインドウ領域として検出されたウインドウＷ１，Ｗ２は、それぞれ、枠部分と表示領域Ａ１，Ａ２という種類の異なる２つの領域を含んでいるので、厳密には、複数のコンテンツ領域を含んでいる。そこで、コンテンツ領域を厳密に検出するためには、後述するように、他のコンテンツ領域検出補助手段２２２１によって取得される各種の情報に基づいて、各ウインドウＷ１，Ｗ２を枠部分と表示領域Ａ１，Ａ２とに分ける必要がある。
【００５９】
時間変化検出手段２２２１２によれば、Ｓ１において入力された画像データにおいて、画素データに時間変化のあった領域を動画像コンテンツ領域として検出することができ、画素データに時間変化のなかった領域を静止画像コンテンツ領域として検出することができる。図６は、図５の例の画像データに対して時間変化検出手段２２２１２による時間変化検出を行った例を示す一連の図である。図６（Ａ）は、図５の画像データから、動画像表示ウインドウＷ１を含む領域を抽出した図である。図６（Ｂ）〜図６（Ｄ）は、図６（Ａ）の領域を対象に行った時間変化検出の流れを示す一連の図である。図６（Ｂ）における時間変化検出開始時には、領域は全面に亘って白の画像になっている。そして、画素データに時間変化があった部分を順次黒に塗り替えていくと（図６（Ｃ））、最終的に、ウインドウＷ１内の動画像表示領域Ａ１に対応する矩形領域が黒で塗りつぶされることになる（図６（Ｄ））。このように、時間変化検出手段２２２１２によれば、ウインドウＷ１のうち、動画像表示領域Ａ１のみを検出することができ、当該領域Ａ１を動画像コンテンツ領域として検出することができる。
【００６０】
境界検出手段２２２１３によれば、Ｓ１において入力された画像データにおける近接画素データ間での変化が大きな部分を各コンテンツ領域の境界として検出することができる。特に、本実施形態では、各コンテンツ領域の境界は直線状であることが多いことに鑑み、近接画素データ間での変化が大きな部分が直線状に並んでいる場合に限って、各コンテンツ領域の境界として検出している。これにより、例えば、写真の画像データ中において、近接画素データ間での変化が大きな部分が被写体の形に応じて曲線状に並んでいるような場合には、各コンテンツ領域の境界として誤検出することがなくなるので、直線状の境界の検出精度を高めることができる。このような境界検出手段２２２１３によって、例えば、図５の例における各ウインドウＷ１，Ｗ２の枠部分と表示領域Ａ１，Ａ２との境界（矩形状）を正確に検出することができる。なお、境界検出手段２２２１３によって検出された境界によって区切られた各コンテンツ領域に表示されるコンテンツデータの種類については、他のコンテンツ領域検出補助手段２２２１によって取得される各種の情報に基づいて判別すればよい。
【００６１】
アプリケーション検出手段２２２１４によれば、ウインドウを構成しているアプリケーションの種類を検出することにより、当該ウインドウ内に表示されているコンテンツデータの種類を判別することができる。図５の例では、動画像表示ウインドウＷ１を構成しているアプリケーションの種類を検出することにより、当該ウインドウＷ１内に表示されているコンテンツデータが動画像コンテンツデータであることを判別することができ、静止画像表示ウインドウＷ２を構成しているアプリケーションの種類を検出することにより、当該ウインドウＷ２内に表示されているコンテンツデータが写真データであることを判別することができる。
【００６２】
ウインドウ内イベント検出手段２２２１５によれば、ウインドウ内イベントを検出することにより、ウインドウ内に表示されているコンテンツデータの種類を判別することができる。図５の例では、動画像表示ウインドウＷ１内のイベント（例えば、再生，停止，早送り，巻き戻し，音量の調節）を検出することにより、当該ウインドウＷ１内に表示されているコンテンツデータが動画像コンテンツデータであることを判別することができ、静止画像表示ウインドウＷ２内のイベント（例えば、拡大，縮小，ページ送り）を検出することにより、当該ウインドウＷ２内に表示されているコンテンツデータが写真データであることを判別することができる。
【００６３】
ブロックノイズ検出手段２２２１６によれば、ブロックノイズを検出することにより、ＪＰＥＧによる静止画像コンテンツ領域やＭＰＥＧによる動画像コンテンツ領域などを正確に検出することができる。図５の例では、動画像表示ウインドウＷ１内に表示されている動画像コンテンツデータがＭＰＥＧによってエンコードされている場合、ブロックノイズ検出を通じて当該動画像コンテンツデータのコンテンツ領域を検出することができ、静止画像表示ウインドウＷ２内に表示されている静止画像コンテンツデータがＪＰＥＧによってエンコードされている場合、ブロックノイズ検出を通じて当該静止画像コンテンツデータのコンテンツ領域を検出することができる。
【００６４】
ユーザ操作検出手段２２２１７によれば、ユーザのマウス操作などを検出することにより、ユーザがアクティブな状態にしているウインドウＷ１，Ｗ２やアイコンＩなどのアクティブデータを正確に検出し、当該アクティブデータが表示されるアクティブ領域も正確に検出することができる。
【００６５】
以上のようなコンテンツ領域検出補助手段２２２１によって取得される各種の情報に基づいて、Ｓ３では、動画像コンテンツ領域検出手段２２２２および静止画像コンテンツ領域検出手段２２２３によって各コンテンツ領域の検出が行われる。図５の例では、主に３種類のコンテンツデータ、すなわち、動画像表示ウインドウＷ１内に表示される動画像コンテンツデータと、静止画像表示ウインドウＷ２内に表示される写真データと、当該両データ以外の背景データ（ウインドウＷ１，Ｗ２の枠部分や、デスクトップのデータ）とによって画像データが構成されているところ、Ｓ３では、動画像コンテンツデータが表示される動画像表示領域Ａ１と、写真データが表示される静止画像表示領域Ａ２と、背景データが表示される前記両領域Ａ１，Ａ２以外の領域とが、それぞれ、コンテンツ領域（動画像コンテンツ領域，写真領域，背景領域）として検出される。図７は、図５の例の画像データについて検出された各コンテンツ領域を示す図である。この図に示される９つの矩形状のコンテンツ領域ａ１〜ａ９のうち、ａ１が動画像コンテンツ領域（ウインドウＷ１の動画像表示領域Ａ１と同一），ａ２が写真領域（ウインドウＷ２の静止画像表示領域Ａ２と同一），ａ３〜ａ９が背景領域である。ここで、画像データを矩形状のコンテンツ領域ａ１〜ａ９に分割しているのは、矩形状にデータを分割すると処理を単純化することができるためである。
【００６６】
Ｓ４では、エンコード方式選択手段２２３が、Ｓ３において検出された各コンテンツ領域ごとに、当該コンテンツ領域に表示されるコンテンツデータの種類に応じたエンコード方式を選択する。具体的には、高フレームレートの実現が最優先されるとともに高画質も要求される動画像コンテンツ領域では、画質の悪化を招かずにデータを圧縮して通信速度を大きくすることができるランレングス方式がエンコード方式として選択され、高フレームレートは要求されないが高画質が要求される写真領域では、表示に多少の時間（例えば、数フレーム分）がかかっても精緻な表示を行うことができるプログレッシブＪＰＥＧ方式がエンコード方式として選択され、高画質が要求されない文字領域および背景領域では、画質の悪化を招く一方でデータを大幅に圧縮することができるＪＰＥＧ方式がエンコード方式として選択され、ユーザが注目している可能性が高く、各種の動き（ドラッグによる移動など）を伴うアクティブデータが表示されるアクティブ領域では、動画像コンテンツ領域と同様に、高フレームレートの実現が最優先されるランレングス方式がエンコード方式として選択される。
【００６７】
Ｓ５では、エンコード手段２２４が、Ｓ４において各コンテンツ領域ごとに選択されたエンコード方式に基づいて、当該コンテンツ領域に表示されるコンテンツデータをエンコードする。なお、エンコードは、Ｓ２における画像処理後の画像データ（コンテンツデータ）に対して行われる。
【００６８】
Ｓ６では、送信順位設定手段２２５が、Ｓ５においてエンコードが行われた各種類のコンテンツデータに送信順位を設定する。具体的には、各種類のコンテンツデータについて、動画像コンテンツデータに第１位，アクティブデータに第２位，写真データに第３位，文字データに第４位，背景データに第５位の送信順位が設定される。図５の例では、図７に示される９つのコンテンツ領域ａ１〜ａ９について、ａ１（動画像コンテンツデータ）→ａ２（写真データ）→ａ３〜ａ９（背景データ）、と送信順位が設定される。
【００６９】
Ｓ７では、送信手段２３が、Ｓ６において送信順位が設定された各種類のコンテンツデータを、当該送信順位に基づいて、ＵＳＢケーブル４を介して液晶プロジェクタ３に送信する。
【００７０】
図８は、Ｓ７において送信されるコンテンツデータのフォーマットを示す図である。コンテンツデータは、２つのヘッダと画素データ群とによって構成されている。第１のヘッダは、当該コンテンツデータに対してＳ５において行われたエンコードの方式を示すものである。このエンコード方式は、当然ながら、当該コンテンツデータに対してＳ４において選択されたものと同一である。第２のヘッダは、コンテンツデータの書込み範囲を示すものである。この書込み範囲は、当該コンテンツデータが表示されるコンテンツ領域に対応しており、Ｘ方向書込み位置，Ｘ方向書込み長，Ｙ方向書込み位置，Ｙ方向書込み長の４つのデータによって指定されている（矩形状）。画素データ群は、矩形状の書込み範囲に含まれるＮ個の画素の画素データによって構成されている。各画素データは、（Ｒ，Ｇ，Ｂ）の３つの値の組によって構成されている。
【００７１】
図５の例では、図７に示されるように画像データが９つのコンテンツ領域ａ１〜ａ９に分割されているところ、１フレーム分の画像データは、コンテンツ領域ａ１〜ａ９に対応する９つのコンテンツデータ（それぞれが図８に示されるフォーマットのデータである）によって構成されている。今、各コンテンツデータの通信を行うＵＳＢケーブル４の通信速度に余裕があれば、フレーム更新間隔の間に１フレームに含まれる９つのコンテンツデータ全てを、ＵＳＢケーブル４を介してパーソナルコンピュータ２から液晶プロジェクタ３に送信することができる。しかしながら、ＵＳＢケーブル４の通信速度に余裕がない場合には、フレーム更新間隔の間に９つのコンテンツデータ全てを送信することはできないため、Ｓ６において設定された送信順位に基づいて送信可能な分だけ送信されるようになっている。図５の例では、前述したように、ａ１（動画像コンテンツデータ）→ａ２（写真データ）→ａ３〜ａ９（背景データ）、と送信順位が設定されているので、コンテンツ領域ａ１に表示される動画像コンテンツデータの送信が最優先される。
【００７２】
図９は、図５の例において、数フレームに亘るコンテンツデータの送信例を示す図である。この例では、コンテンツ領域ａ１に表示される動画像コンテンツデータのフレームレートの維持を最優先するために、全てのフレームにおいて、コンテンツ領域ａ１のコンテンツデータ（動画像コンテンツデータ：送信順位第１位）が最優先に送信されるようになっている。そして、コンテンツ領域ａ１よりも送信順位が低いコンテンツ領域ａ２〜ａ９の各コンテンツデータは、コンテンツ領域ａ１のコンテンツデータを送信してからフレーム更新のタイミングまで時間的余裕がある場合に限って、当該各コンテンツデータについて設定された送信順位に応じて送信される。
【００７３】
１フレーム目では、コンテンツ領域ａ１のコンテンツデータ送信後にコンテンツ領域ａ２のコンテンツデータ（写真データ）を送信した時点でフレーム更新のタイミングが来てしまい、他のコンテンツ領域ａ３〜ａ９のコンテンツデータの送信が行われないまま、フレームが更新される。次の２フレーム目では、コンテンツ領域ａ１のコンテンツデータ送信後に、先のフレームにおいて送信できなかったコンテンツ領域ａ３のコンテンツデータ（背景データ）が送信される（コンテンツ領域ａ２のコンテンツデータについては、１フレーム目で送信済みとして「スキップ」される）。次の３フレーム目では、コンテンツ領域ａ１のコンテンツデータを送信した時点でフレーム更新のタイミングが来てしまい、他のコンテンツ領域ａ２〜ａ９のコンテンツデータの送信が行われないまま、フレームが更新される。次の４フレーム目では、コンテンツ領域ａ１のコンテンツデータ送信後に、先のフレームにおいて送信できなかったコンテンツ領域ａ４，ａ５のコンテンツデータ（背景データ）が送信される（コンテンツ領域ａ２，ａ３のコンテンツデータについては、１フレーム目，２フレーム目で送信済みとして「スキップ」される）。以降、同様に、コンテンツ領域ａ１のコンテンツデータの送信が最優先されながら、他の各コンテンツ領域ａ２〜ａ９のコンテンツデータの送信が行われる。
【００７４】
なお、以上の例では、ＵＳＢケーブル４の通信状況によっては、コンテンツ領域ａ２〜ａ９のコンテンツデータの更新頻度が著しく低下してしまうおそれがある。そこで、所定数フレーム（例えば、６０フレーム）に少なくとも１回、周期的に各コンテンツ領域のコンテンツデータの強制更新を行わせることにする。これによれば、全てのコンテンツデータについて、最低限度の更新が行われるようにすることができる。なお、コンテンツデータの強制更新は、全てのコンテンツ領域について同じタイミング（例えば、６０フレームに１回のタイミング）で一度に行わせてもよいし、各コンテンツ領域について所定フレームずつずらしながら順次行わせてもよい。
【００７５】
Ｓ８では、液晶プロジェクタ３における受信手段３１が、Ｓ７においてＵＳＢケーブルを介して送信された各種類のコンテンツデータを受信する。
【００７６】
Ｓ９では、デコード手段３２１が、Ｓ８において受信された各種類のコンテンツデータについてＳ４において選択されたエンコード方式に合わせて、当該コンテンツデータをデコードする。具体的には、デコード手段３２１は、図８に示されるコンテンツデータのフォーマットにおけるエンコード方式を示す第１のヘッダを参照して、デコード対象のコンテンツデータのエンコード方式を認識し、当該エンコード方式に合わせて当該コンテンツデータをデコードする。
【００７７】
Ｓ１０では、画像表示手段３３が、Ｓ９においてデコードされた各種類のコンテンツデータに基づいて画像を表示する。なお、表示された画像は、スクリーンなどに投射される。
【００７８】
■３．実施形態の効果
以上のような実施形態によれば、コンテンツデータの各種類ごとにエンコード方式を選択することによって、高画質が要求されないコンテンツデータ（文字データ，背景データ）については、データを大幅に圧縮することができるエンコード方式（ＪＰＥＧ方式）を選択することによって、パーソナルコンピュータ２から液晶プロジェクタ３へＵＳＢケーブル４を介して送信されるデータ量を減らすことができ、高画質が要求されるコンテンツデータ（動画像コンテンツコンテンツデータ，写真データ）については、画質の悪化を招かないエンコード方式（ランレングス方式，プログレッシブＪＰＥＧ方式）を選択することによって、液晶プロジェクタ３によって表示される画像の質の悪化を最小限に抑えることができる。
【００７９】
以上のような実施形態によれば、ＵＳＢケーブル４の通信速度が小さく、フレーム更新間隔の間に１フレームに含まれる全ての種類のコンテンツデータを送信することができない場合であっても、送信順位の高いコンテンツデータを優先的に送信することによって、少なくとも、送信順位の高いコンテンツデータについては、適切な表示を行うことができる。また、高フレームレートの実現が最優先されるコンテンツデータ（動画像コンテンツデータ，アクティブデータ）の送信順位を高く設定することによって、当該コンテンツデータのフレームレートの維持を図ることができる。
【００８０】
■４．実施形態の変形例
本発明は、以上の実施形態によって限定されるものではなく、当該実施形態を、本発明の目的を達成できる範囲内において変形したものであれば、本発明の技術的範囲に含まれる。
【００８１】
以上の実施形態では、パーソナルコンピュータ２および液晶プロジェクタ３間においてデータを通信する通信手段をＵＳＢケーブル４によって構成していたが、ＬＡＮケーブルや無線ネットワーク（たとえばIEEE802.11a/11b/11g）によって通信手段を構成してもよい。
【００８２】
以上の実施形態では、パーソナルコンピュータ２のディスプレイ５に表示されている画像をキャプチャして取得される画像データを液晶プロジェクタ３に送信して画像表示を行わせていたが、ディスプレイ５に表示されている写真などの画像データがパーソナルコンピュータ２にRAWデータとして保存されている場合には、画像のキャプチャを行う代わりに、保存されているRAWデータを液晶プロジェクタ３に送信することによって、RAWデータに基づく高画質な画像表示を行わせてもよい。
【図面の簡単な説明】
【００８３】
【図１】画像表示システムの構成を示す機能的ブロック図である。
【図２】画像処理手段の構成を示す機能的ブロック図である。
【図３】コンテンツ領域検出手段の構成を示す機能的ブロック図である。
【図４】画像の表示の流れを示すフローチャートである。
【図５】画像データ入力手段によって入力される画像データの例を示す図である。
【図６】図５の例の画像データに対して時間変化検出を行った例を示す一連の図である。
【図７】図５の例の画像データについて検出された各コンテンツ領域を示す図である。
【図８】送信手段によって送信されるコンテンツデータのフォーマットを示す図である。
【図９】図５の例において、数フレームに亘るコンテンツデータの送信例を示す図である。
【符号の説明】
【００８４】
１…画像表示システム，２…パーソナルコンピュータ（データ処理装置），３…液晶プロジェクタ（画像表示装置），４…ＵＳＢケーブル（通信手段），５…ディスプレイ，２１…画像データ入力手段，２２…制御手段，２３…送信手段，３１…受信手段，３２…制御手段，３３…画像表示手段，２２１…画像処理手段，２２２…コンテンツ領域検出手段，２２３…エンコード方式選択手段，２２４…エンコード手段，２２５…送信順位設定手段，３２１…デコード手段，２２１１…形状変換手段，２２１２…色調変換手段，２２２１…コンテンツ領域検出補助手段，２２２２…動画像コンテンツ領域検出手段，２２２３…静止画像コンテンツ領域検出手段，２２２１１…ウインドウ領域検出手段，２２２１２…時間変化検出手段，２２２１３…境界検出手段，２２２１４…アプリケーション検出手段，２２２１５…ウインドウ内イベント検出手段，２２２１６…ブロックノイズ検出手段，２２２１７…ユーザ操作検出手段，２２２３１…写真領域検出手段，２２２３２…文字領域検出手段，２２２３３…背景領域検出手段，２２２３４…アクティブ領域検出手段。
【図１】
2007206644.tif 000003
【図２】
2007206644.tif 000004
【図３】
2007206644.tif 000005
【図４】
2007206644.tif 000006
【図５】
2007206644.tif 000007
【図６】
2007206644.tif 000008
【図７】
2007206644.tif 000009
【図８】
2007206644.tif 000010
【図９】
2007206644.tif 000011